(57)【特許請求の範囲】
【請求項１】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って延在する複数の溝が設けられ、
該複数の溝の内面には、該溝毎に順次循環的に異なる原色の原色発光蛍光体層が被着形成されてなり、
上記第１の基板は背面側基板であり、上記第２の基板は透明な前面側基板であり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項２】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って延在する複数の溝が設けられ、
該複数の溝の内面には、該溝毎に順次循環的に異なる原色の原色発光蛍光体層が、同じ原色のカラーフィルタ層を介して、被着形成されてなり、
上記第１の基板は背面側基板であり、上記第２の基板は透明な前面側基板であり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項３】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って配列された複数列の窪みが設けられ、
該複数列の窪みの内面には、列毎に順次循環的に異なる原色の原色発光蛍光体層が被着形成されてなり、
上記第１の基板は背面側基板であり、上記第２の基板は透明な前面側基板であり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項４】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って配列された複数列の窪みが設けられ、
該複数列の窪みの内面には、列毎に順次循環的に異なる原色の原色発光蛍光体層が、同じ原色のカラーフィルタ層を介して、被着形成されてなり、
上記第１の基板は背面側基板であり、上記第２の基板は透明な前面側基板であり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項５】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って延在する複数の溝が設けられ、
該複数の溝の所定個数置きの溝の内面に、黒色層が被着形成され、
上記複数の溝の内の上記黒色層が被着形成されていない複数の溝の内面には、該溝毎に順次循環的に異なる原色の原色発光蛍光体層が被着形成されてなり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項６】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って延在する複数の溝が設けられ、
該複数の溝の所定個数置きの溝の内面に、黒色層が被着形成され、
上記複数の溝の内の上記黒色層が被着形成されていない複数の溝の内面には、該溝毎に順次循環的に異なる原色の原色発光蛍光体層が、同じ原色のカラーフィルタ層を介して、被着形成されてなり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項７】
請求項５に記載の平面型表示装置において、
上記第１の電極を構成する複数のストライプ状電極の内、上記黒色層の被着形成された溝に対応する複数のストライプ状電極には、上記島状電極及び上記導電体を省略するようにしたことを特徴とする平面型表示装置。
【請求項８】
請求項６に記載の平面型表示装置において、
上記第１の電極を構成する複数のストライプ状電極の内、上記黒色層の被着形成された溝に対応する複数のストライプ状電極には、上記島状電極及び上記導電体を省略するようにしたことを特徴とする平面型表示装置。
【請求項９】
請求項５に記載の平面型表示装置において、
上記第１の電極を構成する複数のストライプ状電極の内、上記黒色層の被着形成された溝に対応する複数のストライプ状電極にそれぞれ接続された上記複数の島状電極はそれぞれ、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項１０】
請求項６に記載の平面型表示装置において、
上記第１の電極を構成する複数のストライプ状電極の内、上記黒色層の被着形成された溝に対応する複数のストライプ状電極にそれぞれ接続された上記複数の島状電極はそれぞれ、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項１１】
請求項５に記載の平面型表示装置において、
上記第１の電極を構成する複数のストライプ状電極の内、上記黒色層の被着形成された溝に対応する複数のストライプ状電極にそれぞれ接続された上記複数の島状電極はそれぞれ、その上の上記誘電層の被着形成が省略されると共に、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項１２】
請求項６に記載の平面型表示装置において、
上記第１の電極を構成する複数のストライプ状電極の内、上記黒色層の被着形成された溝に対応する複数のストライプ状電極にそれぞれ接続された上記複数の島状電極はそれぞれ、その上の上記誘電層の被着形成が省略されると共に、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項１３】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って配列された複数列の窪みが設けられ、
該複数列の窪みの所定本数置きの列の窪みの内面に、黒色層が被着形成され、
上記複数列の窪みの内の上記黒色層が被着形成されていない複数列の窪みの内面には、列毎に順次循環的に異なる原色の原色発光蛍光体層が被着形成されてなり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項１４】
放電ガスが封入された管体を構成する所定間隔を置いて互いに対向する第１及び第２の基板と、
該第１の基板上に被着形成された、それぞれ複数のストライプ状電極からなる第１の電極と、
上記第１の電極を被覆する如く上記第１の基板上に被着形成され、ＡＣ型ＰＤＰの放電電極を被覆する誘電層としての機能を発揮できないように、誘電率及び厚さがそれぞれ選定された絶縁層と、
該絶縁層上に被着形成され、該絶縁層を介して、上記第１の電極を構成する複数のストライプ状電極と互いに対向し、互いに交差する複数のストライプ状電極からなり、上記第１の電極と共同してマトリクス電極を構成する第２の電極と、
上記絶縁層上の上記第２の電極を構成する複数のストライプ状電極に近接する如く被着形成され、上記絶縁層を貫通する個別の導電体を通じて、上記第１の電極を構成する複数のストライプ状電極にそれぞれ複数ずつ接続された複数の島状電極と、
上記第２の電極及び上記複数の島状電極を被覆する如く、上記絶縁層上に被着形成された誘電層とを有し、
上記第２の基板に、上記第１の電極を構成する複数のストライプ状電極にそれぞれ対応して、その延在方向に沿って配列された複数列の窪みが設けられ、
該複数列の窪みの所定本数置きの列の窪みの内面に、黒色層が被着形成され、
上記複数列の窪みの内の上記黒色層が被着形成されていない複数列の窪みの内面には、列毎に順次循環的に異なる原色の原色発光蛍光体層が、同じ原色のカラーフィルタ層を介して、被着形成されてなり、
上記第２の電極を構成する複数のストライプ電極と、上記複数の島状電極の内、上記第２の電極を構成する複数のストライプ状電極に近接する複数の島状電極との間で、選択的に放電が行われるようにしたことを特徴とする平面型表示装置。
【請求項１５】
請求項１３に記載の平面型表示装置において、
上記第１の電極を構成する複数のストライプ状電極の内、上記黒色層の被着形成された窪みの列に対応する複数のストライプ状電極には、上記島状電極及び上記導電体を省略するようにしたことを特徴とする平面型表示装置。
【請求項１６】
請求項１４に記載の平面型表示装置において、
上記第１の電極を構成する複数のストライプ状電極の内、上記黒色層の被着形成された窪みの列に対応する複数のストライプ状電極には、上記島状電極及び上記導電体を省略するようにしたことを特徴とする平面型表示装置。
【請求項１７】
請求項１３に記載の平面型表示装置において、
上記第１の電極を構成する複数のストライプ状電極の内、上記黒色層の被着形成された窪みの列に対応する複数のストライプ状電極にそれぞれ接続された上記複数の島状電極はそれぞれ、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項１８】
請求項１４に記載の平面型表示装置において、
上記第１の電極を構成する複数のストライプ状電極の内、上記黒色層の被着形成された窪みの列に対応する複数のストライプ状電極にそれぞれ接続された上記複数の島状電極はそれぞれ、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項１９】
請求項１３に記載の平面型表示装置において、
上記第１の電極を構成する複数のストライプ状電極の内、上記黒色層の被着形成された窪みの列に対応する複数のストライプ状電極にそれぞれ接続された上記複数の島状電極はそれぞれ、その上の上記誘電層の被着形成が省略されると共に、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項２０】
請求項１４に記載の平面型表示装置において、
上記第１の電極を構成する複数のストライプ状電極の内、上記黒色層の被着形成された窪みの列に対応する複数のストライプ状電極にそれぞれ接続された上記複数の島状電極はそれぞれ、その上の上記誘電層の被着形成が省略されると共に、上記第２の電極を構成する複数のストライプ状電極の内の上記複数の島状電極に近接するストライプ状電極との間で常時放電を起こす補助放電電極を構成するようにしたことを特徴とする平面型表示装置。
【請求項２１】
請求項５〜２０のいずれかに記載の平面型表示装置において、
上記第１の基板は背面側基板であり、上記第２の基板は透明な前面側基板であることを特徴とする平面型表示装置。
【請求項２２】
請求項５〜２０のいずれかに記載の平面型表示装置において、
上記第２の基板は背面側基板であり、上記第１の基板は透明な前面側基板であることを特徴とする平面型表示装置。
【請求項２３】
請求項１〜２２のいずれかに記載の平面型表示装置において、
上記複数の島状電極及び該島状電極に接続された上記導電体を貫通する孔が設けられると共に、該孔の内面にも誘電層が設けられて、ホロー電極が構成されてなることを特徴とする平面型表示装置。
【請求項２４】
請求項１〜２３のいずれかに記載の平面型表示装置において、
上記複数の島状電極は、上記絶縁層上の上記第２の電極を構成する複数のストライプ状電極の所定の片側のみに近接する如く被着形成されてなることを特徴とする平面型表示装置。
【請求項２５】
請求項１〜２３のいずれかに記載の平面型表示装置において、
上記複数の島状電極は、上記絶縁層上の上記第２の電極を構成する複数のストライプ状電極の２本置きに形成されたスペース内に、上記第２の電極を構成する両側のストライプ状電極に近接する如く被着形成されてなることを特徴とする平面型表示装置。
【発明の詳細な説明】
技術分野
本発明は、ＰＤＰと称されている平面型表示装置に関する。
背景技術
従来のＰＤＰ(Plasma Display Panel)と称されている平面型表示装置の最も一般的な構造のものは、いわゆる２電極対向放電型ＰＤＰである。この２電極対向放電型ＰＤＰは、放電ガスの封入された管体を構成する互いに平行に配された前面側及び背面側ガラス基板上に、放電空間を挟んで互いに対向すると共に、互いに交差するそれぞれ複数のストライプ状電極から構成される第１及び第２の基板をそれぞれ設け、その第１及び第２の電極をそれぞれ構成する複数の電極間に選択的に電圧を印加して、選択された各電極の交差点に放電を生じさせて、発光表示を行わせるようにしたものである。
かかるＰＤＰは、本来は単色発光表示装置であるが、赤、緑及び青発光蛍光体層を順次循環的に管体内の所定箇所に被着形成して、放電に基づいて発生する紫外線をその蛍光体層に照射して発光させるようにすれば、カラーＰＤＰを構成することができる。
かかるカラーＰＤＰにおいては、管体内の放電やイオン衝撃により発生した電極等からの飛散物が付着し難い部位に、蛍光体層を被着形成しなければならないので、蛍光体層の被着形成箇所が局限される。又、その蛍光体層を被着形成する箇所の如何によっては、蛍光体層から十分な発光輝度が得られないおそれもある。
従来のカラーＰＤＰには、ＸＹ電極を背面側ガラス基板の同一平面上に互いに交差するように配し、前面側ガラス基板上に蛍光体層を被着形成するようにした２電極面放電型カラーＰＤＰもある。
以下に、図１及び図２を参照して、かかる従来の２電極面放電型カラーＰＤＰの構造を説明する。複数のストライプ状電極からなる第１の電極（Ｘ電極）２を背面側ガラス基板１上に配し、そのＸ電極２上に、複数のストライプ状電極からなる第２電極（Ｙ電極）４を、互いに交叉（直交）するように配し、Ｘ電極２及びＹ電極４の交叉する部分に、Ｘ電極２及びＹ電極４間を電気的に分離する絶縁層３を介在させ、Ｘ電極２及びＹ電極４の表面及び背面側ガラス基板１の表面に亘って、誘電層７を被着形成することによって、Ｘ電極２及びＹ電極４を被覆して、それぞれＡＣ型電極を構成するようにしている。図２における２０は、Ｘ電極２及びＹ電極４間の放電経路を示している。
そして、図示を省略するも、前面側ガラス基板上に赤、緑及び青発光蛍光体層を順次循環的に被着形成するようにしている。
かかる構造のカラーＰＤＰでは、蛍光体層との間を確実に分離しているので、放電電極、即ち、Ｘ電極２及びＹ電極４からの飛散物が、蛍光体層の側に飛来することはない。
又、この蛍光体層は、放電に基づく紫外線を受けて発光する蛍光体層よりの発光光が、その蛍光体層を透過して前面側ガラス基板側から外部に出射する、所謂透過型蛍光体層であるので、発光色の色純度が良いという特長を有する。
次に、図３を参照して、３電極面放電型ＰＤＰと呼ばれる従来のカラーＰＤＰについて説明する。背面側ガラス基板１上には、縦方向に延在する互いに平行に配された複数のストライプ状電極からなる第１の電極（Ｘ電極）２が被着形成され、そのＸ電極２を被覆する如く、背面側ガラス基板１上及びＸ電極２の表面に亘って誘電層３５が被着形成される。その誘電層３５上のＸ電極２を構成する各ストライプ状電極間にそれぞれ隔壁３１が設けられている。そして、その隔壁３１の側面及び隣接する隔壁３１間の誘電層３５上に亘って、蛍光体層９が被着形成されている。
前面側ガラス基板（図示を省略）上には、背面側ガラス基板１側のＸ電極２を構成する複数のストライプ状電極と対向及び直交する如く配された複数のストライプ状電極からなる第２の電極（Ｙ電極）４と、そのＹ電極４を構成する各電極にそれぞれ平行に近接する如く配され、共通接続された複数のストライプ状電極からなるサステイン電極３４とが被着形成されている。
Ｙ電極４及びサステイン電極３４上には、誘電層３３が被着形成され、その誘電層３３上には、保護層３２が被着形成されて、ＡＣ型放電電極を構成している。
このＰＤＰでは、Ｘ及びＹ電極２、４間のアドレス放電を前面側ガラス基板側のＹ電極４及びサステイン電極３４間のサステイン放電に引き継ぐようになっている。Ｘ電極２はサステイン放電には無関係なため、上述の２電極面放電型ＰＤＰと同じく、放電による蛍光体層への損傷は少ない。
この蛍光体層９は、放電に基づく紫外線を受けて発光する蛍光体層の発光が、蛍光体層９の表面から前面側ガラス基板を通じて外部に照射される所謂反射型蛍光面であるから、発光輝度が高いという特長を有する。
次に、上述の従来のＰＤＰの改善すべき多くの問題点について説明する。先ず、上述の２電極面放電型ＰＤＰに関しては、図２の断面部分図から明らかなように、下層側放電電極としてのＸ電極２が、上層側電極としてのＹ電極４によって、見かけ上左右２つの部分に分断されているために、次のような問題が生じる。
つまり、図２に示すように、Ｘ電極２のＹ電極４に対する放電経路２０がＹ電極４の両側に一対形成される。この場合、Ｘ及びＹ電極２、４の特性のばらつき等によって、両側の一対の放電が均等にならず、又、極端な場合には、いずれか一方の放電しか起こらないこともあり得るため、クロストーク等の誤放電、誤表示の原因にもなる。
又、下層側電極であるＸ電極２と、上層側電極であるＹ電極４との間に絶縁層３が介在されているが、この絶縁層３は誘電層７と一体構成となっているために、誘電層７の厚さは、下層側電極部分に比べて厚くなってしまい、これもＸ及びＹ電極２、４の特性の違いの１つの原因となり、電極駆動上問題となる。又、絶縁層３を薄くすると両電極間の容量が増加し、電極間の耐圧も下がるため、これも電極駆動上問題となる。
更に、透過型蛍光体層の場合、蛍光体層の被着面が前面側ガラス基板のみであるから、上述の３電極面放電型ＰＤＰの如く隔壁の側面及び底面に蛍光体層が被着形成されている場合と比較した場合、蛍光体層の量が限られて、輝度の向上にも限界があった。又、蛍光体が通常白色であることから、コントラストが低いという欠点もあった。
一方、３電極面放電型ＰＤＰに関しても問題がある。このタイプのＰＤＰでは、蛍光体層が背面側ガラス基板側に被着形成されているために、蛍光体層の発光色と放電ガスの発光色と混合して色純度が低下することになる。
又、３電極面放電型ＰＤＰは、本来ＸＹマトリクス型ＰＤＰに必要な２電極に対し、１個の電極、即ち、サステイン電極が追加されて、３電極構成となっているところから、コスト高となり製造上にも問題がある。更に、放電電極が前面側ガラス基板側にあるために、電極によって、蛍光体層からの発光光が遮られる。これを避けるために、透明電極やごく細い電極、あるいは透明度の高い誘電体層や保護層を形成しなければならず、又、製造が面倒になり、コスト高につながる。
かかる点に鑑み、本発明は、構造簡単、製造容易、廉価で、しかも、放電動作が安定し、隣接する表示セル間のクロストークが発生し難く、解像度を高くすることのできる平面型表示装置を提案しようとするものである。
又、本発明は、構造簡単、製造容易、廉価で、しかも、放電動作が安定し、隣接表示セル間のクロストークが発生し難く、解像度を高くすることができ、且つ、高輝度のカラー表示を行うことのできる平面型表示装置を提案しようとするものである。
更に、本発明は、構造簡単、製造容易、廉価で、しかも、放電動作が安定し、隣接表示セル間のクロストークが発生し難く、しかも、高輝度、高コントラスト及び高解像度のカラー表示を行うことのできる平面型表示装置を提案しようとするものである。
発明の開示
第１の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って延在する複数の溝が設けられ、その複数の溝の内面には、その溝毎に順次循環的に異なる原色の原色発光蛍光体層が被着形成されてなり、第１の基板は背面側基板であり、第２の基板は透明な前面側基板であり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第１の本発明によれば、構造簡単、製造容易、廉価で、しかも、放電動作が安定し、隣接する表示セル間のクロストークが発生し難く、解像度を高くすると共に、高輝度のカラー表示を行うことのできる平面型表示装置を得ることができる。また、第１及び第２の電極、島状電極、絶縁層、誘電層等の透明化が不要となる。
第２の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って延在する複数の溝が設けられ、その複数の溝の内面には、その溝毎に順次循環的に異なる原色の原色発光蛍光体層が、同じ原色のカラーフィルタ層を介して、被着形成されてなり、第１の基板は背面側基板であり、第２の基板は透明な前面側基板であり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第２の本発明によれば、構造簡単、製造容易、廉価で、しかも、放電動作が安定し、隣接する表示セル間のクロストークが発生し難く、解像度を高くすると共に、高解像度且つ高コントラストのカラー表示を行うことのできる平面型表示装置を得ることができる。また、第１及び第２の電極、島状電極、絶縁層、誘電層等の透明化が不要となる。
第３の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って配列された複数列の窪みが設けられ、その複数列の窪みの内面には、列毎に順次循環的に異なる原色の原色発光蛍光体層が被着形成されてなり、第１の基板は背面側基板であり、第２の基板は透明な前面側基板であり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第３の本発明によれば、構造簡単、製造容易、廉価で、しかも、放電動作が安定し、隣接する表示セル間のクロストークが発生し難く、解像度を高くすると共に、高輝度のカラー表示を行うことのできる平面型表示装置を得ることができる。また、第１及び第２の電極、島状電極、絶縁層、誘電層等の透明化が不要となる。
第４の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って配列された複数列の窪みが設けられ、その複数列の窪みの内面には、列毎に順次循環的に異なる原色の原色発光蛍光体層が、同じ原色のカラーフィルタ層を介して、被着形成されてなり、第１の基板は背面側基板であり、第２の基板は透明な前面側基板であり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第４の本発明によれば、構造簡単、製造容易、廉価で、しかも、放電動作が安定し、隣接する表示セル間のクロストークが発生し難く、解像度を高くすると共に、高解像度且つ高コントラストのカラー表示を行うことのできる平面型表示装置を得ることができる。また、第１及び第２の電極、島状電極、絶縁層、誘電層等の透明化が不要となる。
第５の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って延在する複数の溝が設けられ、その複数の溝の所定個数置きの溝の内面に、黒色層が被着形成され、複数の溝の内の黒色層が被着形成されていない複数の溝の内面には、その溝毎に順次循環的に異なる原色の原色発光蛍光体層が被着形成されてなり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第５の本発明によれば、構造簡単、製造容易、廉価で、しかも、放電動作が安定し、隣接する表示セル間のクロストークが発生し難く、解像度を高くすると共に、高輝度で、且つ、頗る高コントラストのカラー表示を行うことのできる平面型表示装置を得ることができる。
第６の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って延在する複数の溝が設けられ、その複数の溝の所定個数置きの溝の内面に、黒色層が被着形成され、複数の溝の内の黒色層が被着形成されていない複数の溝の内面には、その溝毎に順次循環的に異なる原色の原色発光蛍光体層が、同じ原色のカラーフィルタ層を介して、被着形成されてなり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第６の本発明によれば、構造簡単、製造容易、廉価で、しかも、放電動作が安定し、隣接する表示セル間のクロストークが発生し難く、解像度を高くすると共に、高輝度で、且つ、頗る高コントラストのカラー表示を行うことのできる平面型表示装置を得ることができる。
第７の本発明は、第５の本発明の平面型表示装置において、第１の電極を構成する複数のストライプ状電極の内、黒色層の被着形成された溝に対応する複数のストライプ状電極には、島状電極及び導電体を省略するようにした平面型表示装置である。
この第７の本発明によれば、第５の本発明と同様な効果が得られると共に、第５の本発明と較べて、構造がより簡単になる平面型表示装置を得ることができる。
第８の本発明は、第６の本発明の平面型表示装置において、第１の電極を構成する複数のストライプ状電極の内、黒色層の被着形成された溝に対応する複数のストライプ状電極には、島状電極及び導電体を省略するようにした平面型表示装置である。
この第８の本発明によれば、第６の本発明と同様な効果が得られると共に、第６の本発明と較べて、構造がより簡単になる平面型表示装置を得ることができる。
第９の本発明は、第５の本発明の平面型表示装置において、第１の電極を構成する複数のストライプ状電極の内、黒色層の被着形成された溝に対応する複数のストライプ状電極にそれぞれ接続された複数の島状電極はそれぞれ、第２の電極を構成する複数のストライプ状電極の内の複数の島状電極に近接するストライプ状電極との間で常時放電を起こす補助放電電極を構成するようにした平面型表示装置である。
この第９の本発明によれば、第５の本発明と同様な効果が得られると共に、第１及び第２の電極に対し高速の駆動が可能になり、放電動作が一層安定となる平面型表示装置を得ることができる。
第１０の本発明は、第６の本発明の平面型表示装置において、第１の電極を構成する複数のストライプ状電極の内、黒色層の被着形成された溝に対応する複数のストライプ状電極にそれぞれ接続された複数の島状電極はそれぞれ、第２の電極を構成する複数のストライプ状電極の内の複数の島状電極に近接するストライプ状電極との間で常時放電を起こす補助放電電極を構成するようにした平面型表示装置である。
この第１０の本発明によれば、第６の本発明と同様な効果が得られると共に、第１及び第２の電極に対し高速の駆動が可能になり、放電動作が一層安定となる平面型表示装置を得ることができる。
第１１の本発明は、第５の本発明の平面型表示装置において、第１の電極を構成する複数のストライプ状電極の内、黒色層の被着形成された溝に対応する複数のストライプ状電極にそれぞれ接続された複数の島状電極はそれぞれ、その上の誘電層の被着形成が省略されると共に、第２の電極を構成する複数のストライプ状電極の内の複数の島状電極に近接するストライプ状電極との間で常時放電を起こす補助放電電極を構成するようにした平面型表示装置である。
この第１１の本発明によれば、第５の本発明と同様な効果が得られると共に、第１及び第２の電極に対し高速の駆動が可能になり、放電動作が一層安定となる平面型表示装置を得ることができる。
第１２の本発明は、第６の本発明の平面型表示装置において、第１の電極を構成する複数のストライプ状電極の内、黒色層の被着形成された溝に対応する複数のストライプ状電極にそれぞれ接続された複数の島状電極はそれぞれ、その上の誘電層の被着形成が省略されると共に、第２の電極を構成する複数のストライプ状電極の内の複数の島状電極に近接するストライプ状電極との間で常時放電を起こす補助放電電極を構成するようにした平面型表示装置である。
この第１２の本発明によれば、第６の本発明と同様な効果が得られると共に、第１及び第２の電極に対し高速の駆動が可能になり、放電動作が一層安定となる平面型表示装置を得ることができる。
第１３の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って配列された複数列の窪みが設けられ、その複数列の窪みの所定本数置きの列の窪みの内面に、黒色層が被着形成され、複数列の窪みの内の黒色層が被着形成されていない複数列の窪みの内面には、列毎に順次循環的に異なる原色の原色発光蛍光体層が被着形成されてなり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
この第１３の本発明によれば、構造簡単、製造容易、廉価で、しかも、放電動作が安定し、隣接する表示セル間のクロストークが発生し難く、解像度を高くすると共に、高輝度で、且つ、頗る高コントラストのカラー表示を行うことのできる平面型表示装置を得ることができる。
第１４の本発明は、放電ガスが封入された管体を構成する所定間隔を置いて互いに対向する第１及び第２の基板と、その第１の基板上に被着形成された、それぞれ複数のストライプ状電極からなる第１の電極と、第１の電極を被覆する如く第１の基板上に被着形成され、ＡＣ型ＰＤＰの放電電極を被覆する誘電層としての機能を発揮できないように、誘電率及び厚さがそれぞれ選定された絶縁層と、その絶縁層上に被着形成され、その絶縁層を介して、第１の電極を構成する複数のストライプ状電極と互いに対向し、互いに交差する複数のストライプ状電極からなり、第１の電極と共同してマトリクス電極を構成する第２の電極と、絶縁層上の第２の電極を構成する複数のストライプ状電極に近接する如く被着形成され、絶縁層を貫通する個別の導電体を通じて、第１の電極を構成する複数のストライプ状電極にそれぞれ複数ずつ接続された複数の島状電極と、第２の電極及び複数の島状電極を被覆する如く、絶縁層上に被着形成された誘電層とを有し、第２の基板に、第１の電極を構成する複数のストライプ状電極にそれぞれ対応して、その延在方向に沿って配列された複数列の窪みが設けられ、その複数列の窪みの所定本数置きの列の窪みの内面に、黒色層が被着形成され、複数列の窪みの内の黒色層が被着形成されていない複数列の窪みの内面には、列毎に順次循環的に異なる原色の原色発光蛍光体層が、同じ原色のカラーフィルタを介して、被着形成されてなり、第２の電極を構成する複数のストライプ状電極と、複数の島状電極の内、第２の電極を構成する複数のストライプ状電極に近接する複数の島状電極との間で、選択的に放電が行われるようにした平面型表示装置である。
第１４の本発明によれば、構造簡単、製造容易、廉価で、しかも、放電動作が安定し、隣接する表示セル間のクロストークが発生し難く、解像度を高くすると共に、高輝度で、且つ、頗る高コントラストのカラー表示を行うことのできる平面型表示装置を得ることができる。
第１５の本発明は、第１３の本発明に記載の平面型表示装置において、第１の電極を構成する複数のストライプ状電極の内、黒色層の被着形成された窪みの列に対応する複数のストライプ状電極には、島状電極及び導電体を省略するようにした平面型表示装置である。
第１５の本発明によれば、第１３の本発明と同様な効果が得られると共に、第１３の本発明と較べて、構造がより簡単になる平面型表示装置を得ることができる。
第１６の本発明は、第１４の本発明に記載の平面型表示装置において、第１の電極を構成する複数のストライプ状電極の内、黒色層の被着形成された窪みの列に対応する複数のストライプ状電極には、島状電極及び導電体を省略するようにした平面型表示装置である。
第１６の本発明によれば、第１４の本発明と同様な効果が得られると共に、第１４の本発明と較べて、構造がより簡単になる平面型表示装置を得ることができる。
第１７の本発明は、第１３の本発明に記載の平面型表示装置において、第１の電極を構成する複数のストライプ状電極の内、黒色層の被着形成された窪みの列に対応する複数のストライプ状電極にそれぞれ接続された複数の島状電極はそれぞれ、第２の電極を構成する複数のストライプ状電極の内の複数の島状電極に近接するストライプ状電極との間で常時放電を起こす補助放電電極を構成するようにした平面型表示装置である。
第１７の本発明によれば、第１３の本発明と同様な効果が得られると共に、第１及び第２の電極に対し高速の駆動が可能になり、放電動作が一層安定となる平面型表示装置を得ることができる。
第１８の本発明は、第１４の本発明に記載の平面型表示装置において、第１の電極を構成する複数のストライプ状電極の内、黒色層の被着形成された窪みの列に対応する複数のストライプ状電極にそれぞれ接続された複数の島状電極はそれぞれ、第２の電極を構成する複数のストライプ状電極の内の複数の島状電極に近接するストライプ状電極との間で常時放電を起こす補助放電電極を構成するようにした平面型表示装置である。
第１８の本発明によれば、第１４の本発明と同様な効果が得られると共に、第１及び第２の電極に対し高速の駆動が可能になり、放電動作が一層安定となる平面型表示装置を得ることができる。
第１９の本発明は、第１３の本発明に記載の平面型表示装置において、第１の電極を構成する複数のストライプ状電極の内、黒色層の被着形成された窪みの列に対応する複数のストライプ状電極にそれぞれ接続された複数の島状電極はそれぞれ、その上の誘電層の被着形成が省略されると共に、第２の電極を構成する複数のストライプ状電極の内の複数の島状電極に近接するストライプ状電極との間で常時放電を起こす補助放電電極を構成するようにした平面型表示装置である。
第１９の本発明によれば、第１３の本発明と同様な効果が得られると共に、第１及び第２の電極に対し高速の駆動が可能になり、放電動作が一層安定となる平面型表示装置を得ることができる。
第２０の本発明は、第１４の本発明に記載の平面型表示装置において、第１の電極を構成する複数のストライプ状電極の内、黒色層の被着形成された窪みの列に対応する複数のストライプ状電極にそれぞれ接続された複数の島状電極はそれぞれ、その上の誘電層の被着形成が省略されると共に、第２の電極を構成する複数のストライプ状電極の内の複数の島状電極に近接するストライプ状電極との間で常時放電を起こす補助放電電極を構成するようにした平面型表示装置である。
第２０の本発明によれば、第１４の本発明と同様な効果が得られると共に第１及び第２の電極に対し高速の駆動が可能になり、放電動作が一層安定となる平面型表示装置を得ることができる。
第２１の本発明は、第５〜第２０の本発明のいずれかに記載の平面型表示装置において、第１の基板は背面側基板であり、第２の基板は透明な前面側基板である平面型表示装置である。
第２１の本発明によれば、第５〜第２０の本発明のいずれかと同様の効果が得られると共に、第１及び第２の電極、島状電極、絶縁層、誘電層等の透明化が不要となる。
第２２の本発明は、第５〜第２０の本発明のいずれかに記載の平面型表示装置において、第２の基板は背面側基板であり、第１の基板は透明な前面側基板である平面型表示装置である。
第２２の本発明によれば、第５〜第２０の本発明のいずれかと同様の効果が得られる。
第２３の本発明は、第１〜第２２の本発明のいずれかに記載の平面型表示装置において、複数の島状電極及びその島状電極に接続された導電体を貫通する孔が設けられると共に、その孔の内面にも誘電層が設けられて、ホロー電極が構成されてなる平面型表示装置である。
第２３の本発明によれば、第１〜第２２の本発明のいずれかと同様の効果が得られると共に、放電電圧が低下し、発光効率の高い平面型表示装置を得ることができる。
第２４の本発明は、第１〜第２３の本発明のいずれかに記載の平面型表示装置において、複数の島状電極は、絶縁層上の第２の電極を構成する複数のストライプ状電極の所定の片側のみに近接する如く被着形成されてなる平面型表示装置である。
この第２４の本発明によれば、第１〜第２３の本発明のいずれかと同様の効果が得られる。
第２５の本発明は、第１〜第２３の本発明のいずれかに記載の平面型表示装置において、複数の島状電極は、絶縁層上の第２の電極を構成する複数のストライプ状電極の２本置きに形成されたスペース内に、第２の電極を構成する両側のストライプ状電極に近接する如く被着形成されてなる平面型表示装置である。
この第２５の本発明によれば、第１〜第２３の本発明のいずれかと同様の効果が得られるが、第２４の本発明に較べて、島状電極及び導電体の数が略半減するので、構造が一層簡単となり、製造が一層容易になり、価格が一層廉価になる。
発明を実施するための最良の形態
先ず、図４〜図７を参照して、本発明の実施の形態の平面型表示装置（ＰＤＰ）の一例を説明する。図４は平面型表示装置（ＰＤＰ）の一例の分解斜視部分図、図５は断面部分図、図６は斜視部分図、図７は断面部分図である。
先ず、図４を主として参照して、この平面型表示装置の構造をその製法と共に説明する。背面側ガラス基板１上に、一定間隔を置いて互いに平行に配された、一定幅の複数のストライプ状電極からなる第１の電極である例えばＸ電極２を被着形成する。このＸ電極２は、例えば、背面側ガラス基板１上に、銀、ニッケル等の導電性ペーストを、スクリーン印刷し、それを焼成して形成する。このＸ電極２は、写真蝕刻法、真空蒸着法等の薄膜法、その他の方法によって形成しても良い。
次に、Ｘ電極２を被覆し、且つ、後に形成するＹ電極４との間を絶縁する絶縁層（低融点ガラス等の材料で、比較的誘電率の低いものから構成される）３を、背面側ガラス基板１上及びＸ電極２上に亘って被着形成する。この絶縁層３は、例えば、低融点ガラスペーストを、背面側ガラス基板１上及びＸ電極２上に亘ってスクリーン印刷し、それを焼成して形成する。
絶縁層３の厚さは、ＸＹ両電極２、４間を絶縁するためだけの場合は、約２００Ｖ程度の耐圧があれば良いので、通常約０．０２〜０．０３ｍｍ程度あれば良い。
しかし、ここでは、絶縁層３に、ＡＣ型ＰＤＰの放電電極を被覆する誘電層としての機能を発揮させないようにするために、絶縁層３の厚さを、約０．０４ｍｍ程度以上、例えば、約０．０４〜約０．０８ｍｍ程度に選定する。勿論放電を起こさないような誘電層の条件を満足するように、絶縁層３として、誘電率の極端に低い材料を用いれば、絶縁層３の厚さは、これより薄くすることもできる。
図７を参照するに、上層側のＹ電極４は下層側のＸ電極２を見掛け上分断する形に配されているが、絶縁層３がＡＣ型ＰＤＰの放電電極を被覆する誘電層としての機能を発揮させないようにされていれば、Ｙ電極４の右側には放電が発生しない。
図７を主として参照すると共に、図４、図５及び図６をも参照して、島状電極並びにその島状電極及び下層電極としてのＸ電極２間を接続する導電体について説明する。Ｙ電極４の近傍の絶縁層３に貫通孔５が穿設され、導電ペーストを焼成した柱状、例えば、円柱状（正四角柱、長四角柱等も可）の導電体２６がその貫通孔５内に形成される。そして、その導電体２６上に接続されるように、絶縁層３上に島状電極（小電極）６を被着形成する。この島状電極６はＹ電極４と同時に形成される。かくして、島状電極６は、導電体２６を通じて、Ｘ電極２に電気的に接続される。
尚、島状電極６は、Ｘ電極２及びＹ電極４と同様に、銀、ニッケル等の導電性ペーストを印刷焼成したもので良い。
かくして、絶縁層３上に、Ｙ電極４及び島状電極６とが並行して配される。尚、Ｙ電極４及び島状電極６の表面は、誘電層７で被覆されている。
誘電層７は通常のＡＣ型ＰＤＰのそれと同様に壁電荷を蓄積するため、静電容量が大きくなるように、絶縁層３よりも薄く例えば０．０１ｍｍ〜０．０２ｍｍ程度に選定する。又、図示を省略するも、通常は誘電層７の表面上に、酸化マグネシュウム等の２次電子放出比が大きく、且つ、イオン衝撃にも強い材料の保護層を被着形成して被覆する。放電は放電経路２０で示されるような放電前の電界形状から励起される。
次に、図４及び図５を参照して、前面側ガラス基板１１の構造について説明する。前面側ガラス基板１１には、背面側ガラス基板１上のＸ電極（第１の電極）２に対応する如く、複数の溝８が形成されている。
各溝８の代わりに、窪みの列であっても良い。その場合には、複数列の窪みが、複数の溝８に対応することになる。窪みの形状は、例えばドーム状である。
この溝８は、前面側ガラス基板１１を対象とした化学エッチング法、サンドブラスト法等の方法で容易に形成できる。
前面側ガラス基板１１の複数の溝８の内面には、順次循環的に赤、緑及び青発光蛍光体層９が被着形成されている。この溝８内への蛍光体層９の被着形成は、例えば、スクリーン印刷法による蛍光体の塗布によって行う。
窪みの場合には、前面側ガラス基板１１の複数列の窪みの内面には、列毎に順次循環的に赤、緑及び青発光蛍光体層９が被着形成される。
溝８の深さは約０．１〜０．２ｍｍ程度が好適である。溝８の幅は通常のＰＤＰでは０．１５〜０．５ｍｍ程度である。蛍光体層９の厚さは約０．０１ｍｍ程度であるから、溝８が蛍光体で埋まることはない。又、溝８の形成に化学エッチング法またはサンドブラスト法のいずれの方法を採用する場合でも、その断面形状は、蛍光体層９の輝度及び視野角の改善に有利となる、図５に示すように略逆Ｕ字型になるのが一般的である。
それぞれ原色である赤、緑及び青発光蛍光体層９は、前面側ガラス基板１１の溝８の内面に直接被着形成するか、又は、図４及び図５に示すように、溝８の内面に原色である赤、緑及び青のカラーフィルタ１０を被着形成し、しかる後、その赤、緑及び青のカラーフィルタ１０上に、それぞれ対応する原色の赤、緑及び青発光蛍光体層９を被着形成する。
カラーフィルタ１０は、低融点ガラスに顔料を加えて、各原色の色に着色したものを使用するのが一般的で、スクリーン印刷等で容易に形成できる。
前面側ガラス基板１１を、背面側ガラス基板１を蓋する如く合わせ、ガラスフリット等で両ガラス基板１、１１を真空封着したのち、両ガラス基板１、１１間の空間に放電ガスとしてネオン、アルゴン、キセノン等の放電に適した混合ガスを約０．５気圧程度封入して、平面型表示装置は完成する。
図４〜図７について説明した平面型表示装置の例では、背面側ガラス基板１側にＸ電極（第１の電極）２、絶縁層３、Ｙ電極（第２の電極）４、島状電極６、誘電層７及び導電体２６を設け、前面側ガラス基板１１に、溝８（窪みの列でも良い）、蛍光体層９及びカラーフィルタ１０を設けた場合であるが、前面側ガラス基板１１側に、Ｘ電極（第１の電極）２、絶縁層３、Ｙ電極（第２の電極）４、島状電極６、誘電層７及び導電体２６を設け、背面側ガラス基板１に、溝８（窪みの列でも良い）、蛍光体層９及びカラーフィルタ１０を設けるようにしても良い。
その後者の場合においては、前面側ガラス基板１１側に設ける電極等の部材を透明にすればよいが、透明にしなくても、前面側ガラス基板１１側の各部材の透明度が問題になる場合には、Ｘ電極２の位置を、背面側ガラス基板１に形成された溝８と溝８との間の隔壁部に対応させ、島状電極６及びＸ電極２間を接続する貫通孔２１の位置までせり出すせり出し部を、Ｘ電極２に設けるようにしても良い。
次に、図８の平面型表示装置の断面部分図を参照して、本発明の実施の形態の平面型表示装置（ＰＤＰ）の他の例を説明する。図８に示された例では、島状電極６及び導電体２６を貫通する孔２４を形成すると共に、その孔２４内にも誘電層７を被着形成して、所謂ホロー電極２１を形成した場合である。島状電極６と下層側電極であるＸ電極２とは、導電体２６を通じて電気的に接続されているが、孔２４は導電ペースト及び誘電層７で完全には埋まらずに窪み状になっており、しかも窪みの直径がホロー効果を生ずるのに適した寸法（通常のＰＤＰでは、直径が約０．０５ｍｍ程度）になっており、Ｙ電極４及び島状電極６間でのＡＣ放電において、島状電極６がカソードとして動作するタイミングでホロー効果を生じ、放電電圧の低下と発光効率の上昇が見られ、ここではこのホロー電極２１はホローカソードとなる。
尚、この孔２４の内周面上の全面に誘電層７が被覆されていれば良く、必ずしも、孔２４の下端のＸ電極２上までにも誘電層７が被覆されていなくても良い。つまり島状電極６がＡＣ電極として動作しながらホローカソード２１がＤＣ電極として動作することも可能である。
図４〜図７について説明した平面型表示装置の例では、隣接する表示セル間が極めて近接する場合には、島状電極６とこれを挟んで両側に位置する２本の第２の電極（Ｙ電極）４間で、より近接する電極間の放電のみではなく反対側の他方の電極間でも放電が起こる所謂クロストーク、即ち、誤放電が起こりやすく、特に高解像度のＰＤＰに於いては動作電圧範囲を狭めることになる。
そこで、図９〜図１２を参照して、図４〜図７について説明した平面型表示装置の例の欠点を改良した、本発明の実施の形態の平面型表示装置の更に他の例を説明する。図９は、この平面型表示装置の更に他の例の斜視部分図、図１０は断面部分図、図１１は電極配置を示す平面図、図１２は分解斜視部分図である。
先ず、図９及び図１０を参照して、平面型表示装置の構造を、その製法と共に説明する。背面側ガラス基板１上に、一定間隔を置いて互いに平行に配された、一定幅の複数のストライプ状電極からなる、第１の電極である例えばＸ電極２を被着形成する。このＸ電極２は、例えば、背面側ガラス基板１上に、銀、ニッケル等の導電性ペーストを、スクリーン印刷し、それを焼成して形成する。このＸ電極２は、写真蝕刻法、真空蒸着等の薄膜法、その他の方法によって形成しても良い。
次に、Ｘ電極２を被覆し、且つ、後に形成するＹ電極４との間を絶縁する絶縁層３を、背面側ガラス基板１上及びＸ電極２上に亘って被着形成する。この絶縁層３は、例えば、低融点ガラスペーストを、背面側ガラス基板１上及びＸ電極２上に亘って、スクリーン印刷し、それを焼成して形成する。
ＸＹ両電極２、４間を絶縁するためだけの場合は、約２００Ｖ程度の耐圧があれば良いので、絶縁層３の厚さは、通常約０．０２〜０．０３ｍｍ程度あれば良い。
しかし、ここでは、絶縁層３に、ＡＣ型ＰＤＰの放電電極を被覆する誘電層としての機能を発揮させないようにするために、絶縁層３の厚さを、約０．０４ｍｍ程度以上、例えば、約０．０４〜約０．０８ｍｍ程度に選定する。勿論放電を起こさないような誘電層の条件を満足するように、絶縁層３として、誘電率の極端に低い材料を用いれば、絶縁層３の厚さは、これより薄くすることもできる。
図１０を主として参照すると共に、図９をも参照して、島状電極並びにその島状電極及び下層電極としてのＸ電極２間を接続する導電体について説明する。Ｙ電極４の近傍の絶縁層３に貫通孔５が穿設され、導電ペーストを焼成した柱状、例えば、円柱状の導電体２６がその貫通孔５内に形成される。貫通孔５の大きさ及び形状は、電極幅、画素ピッチによって選択され、丸型以外の四角型や長方形でもよい。
そして、その導電体２６上に接続されるように、絶縁層３上に島状電極６を被着形成する。この島状電極６はＹ電極４と同時に形成される。かくして、島状電極６は、導電体２６を通じてＸ電極２に電気的に接続される。尚、島状電極６は、Ｘ電極２及びＹ電極４と同様に、銀、ニッケル等の導電性ペーストを印刷焼成したもので良い。
かくして、絶縁層３上に、Ｙ電極４及び島状電極６とが並行して配されるが、この例では島状電極６の左側及び右側の対称な位置にそれぞれＹ電極４が配されるようになされている。そして、Ｙ電極４及び島状電極６の表面は、誘電層７で被覆されている。
誘電層７は通常のＡＣ型ＰＤＰのそれと同様に壁電荷を蓄積するため、静電容量が大きくなるように、絶縁層３よりも薄く例えば０．０１ｍｍ〜０．０２ｍｍ程度に選定する。又、図示を省略するも、通常は誘電層７の表面を酸化マグネシュウム等の２次電子放出比が大きく、且つ、イオン衝撃にも強い材料で更に被覆する。
図１０に明らかな如く、島状電極６及びその両側のＹ電極４、４間に、２個の独立した表示セル１及び２の電界２２及び２３が形成されている。島状電極６の左半分と左側のＹ電極４との間及び島状電極６の右半分と右側のＹ電極４との間に、それぞれ独立に放電が生じている。
図１１は、Ｘ電極２（Ｘ１、Ｘ２、Ｘ３、‥‥‥‥‥‥）、Ｙ電極４（Ｙ１、Ｙ２、Ｙ３、‥‥‥‥‥‥）及び島状電極６（Ｓ１１２、Ｓ２１２、Ｓ３１２、‥‥‥‥‥‥、Ｓ１３４、Ｓ２３４、Ｓ３３４、‥‥‥‥‥‥）の配置関係の例を示す。
島状電極Ｓ１１２、２１２、３１２、‥‥‥‥‥の両側に、Ｙ電極Ｙ１、Ｙ２が配され、島状電極Ｓ１３４、２３４、３３４、‥‥‥‥‥‥の両側に、Ｙ電極Ｙ３、Ｙ４が配されている。見方を変えれば、島状電極Ｓ１１２、２１２、３１２、‥‥‥‥‥‥及び島状電極Ｓ１３４、２３４、３３４、‥‥‥‥‥‥間に、２本のＹ電極Ｙ２、Ｙ３が配されている。
又、Ｘ電極Ｘ１上には、島状電極Ｓ１１２、１３４、‥‥‥‥‥‥が配され、Ｘ電極Ｘ２上には、島状電極Ｓ２１２、２３４、‥‥‥‥‥‥が配され、Ｘ電極Ｘ３上には、島状電極Ｓ３１２、３３４、‥‥‥‥‥‥が配されている。
更に、Ｘ電極Ｘ１、Ｘ２、Ｘ３、‥‥‥‥‥‥は、所定間隔を置いて対向すると共に、Ｙ電極Ｙ１、Ｙ２、Ｙ３、‥‥‥‥‥‥と直交している。
次に、図１２を参照して、前面側ガラス基板１１の構造について説明する。前面側ガラス基板１１には、背面側ガラス基板１上のＸ電極（第１の電極）２に対応する如く、複数の溝８（複数列の窪みであっても良い）が形成されている。
この溝８は、前面側ガラス基板１１を対象とした化学エッチング法、サンドブラスト法等の方法で容易に形成できる。
前面側ガラス基板１１の複数の溝８の内面には、順次循環的に赤、緑及び青発光蛍光体層９が被着形成されている。この溝８内への蛍光体層９の被着形成は、例えば、スクリーン印刷法による蛍光体の塗布によって行う。
溝８の深さは約０．１〜０．２ｍｍ程度が好適である。溝８の幅は通常のＰＤＰでは０．１５〜０．５ｍｍ程度である。蛍光体層９の厚さは約０．０１ｍｍ程度であるから、溝８が蛍光体で埋まることはない。又、溝８の形成に化学エッチング法またはサンドブラスト法のいずれの方法を採用する場合でも、その断面形状は、蛍光体層９の輝度及び視野角の改善に有利となる略逆Ｕ字型になるのが一般的である。
それぞれ原色である赤、緑及び青発光蛍光体層９は、前面側ガラス基板１１の溝８の内面に直接被着形成するか、又は、溝８の内面に原色である赤、緑及び青のカラーフィルタ１０を被着形成し、しかる後、その赤、緑及び青のカラーフィルタ１０上に、それぞれ対応する原色の赤、緑及び青発光蛍光体層９を被着形成する。
カラーフィルタ１０は、低融点ガラスに顔料を加えて、各原色の色に着色したものを使用するのが一般的で、スクリーン印刷等で容易に形成できる。
前面側ガラス基板１１を、背面側ガラス基板１を蓋する如く合わせ、ガラスフリット等で両ガラス基板１、１１を真空封着したのち、両ガラス基板１、１１間の空間に放電ガスとしてネオン、アルゴン、キセノン等の放電に適した混合ガスを約０．５気圧程度封入して、平面型表示装置は完成する。
次に、図１３を参照して、図９〜図１２に示した平面型表示装置の変形例を説明する。高解像度ＰＤＰの場合のように島状電極６の面積が相対的に小さい場合には、隣接する放電セルを明確に分けるために、島状電極６の略中央部に対応する誘電層７上と、島状電極６の左側及び右側の１本目及び２本目のＸ電極４の中間に対応する誘電層７上とにそれぞれ、Ｘ電極２の延在方向に延在する例えば０．０２〜０．０３ｍｍ程度の高さの低層の隔壁（例えば、低融点ガラス等の誘電率の低い絶縁体からなる）２９を形成すれば、構造的に一層はっきりと島状電極６が分割でき、動作範囲も広がり、且つ、隣接する表示セルのクロストークを減らすことができる。
又、図１４に示す如く、各表示セルを個別に囲う格子状の隔壁２９を誘電層７上に設けることにより、隣接する表示セルのクロストークを減らすことも可能である。
さて、通常、全ての表示装置の画面は発光部分と非発光部分で構成され、非発光部分を黒色にすることでコントラスト比を高めるようにしている。
しかしながら、上述の平面型表示装置（ＰＤＰ）の例における前面側ガラス基板１１では、発光面である蛍光体層の被着面積に対し、非発光部分が少なくコントラストの面で問題があった。
又、全ての構造のＰＤＰにおいて、所謂アドレス放電の高速化と安定化は画面の高解像度化にとって大変重要である。ＰＤＰに於いては、放電のきっかけとなる荷電粒子や準安定原子、即ち、所謂プライミングを放電セルに供給することが、放電遅れ時間を短縮し動作を安定化する有効な方策であることは周知のことである。
しかしながら、従来のＰＤＰではこの補助放電の発光が画面のコントラストを低下させる等の問題から、有効で簡単な構造の補助放電機構が実現していなかった。
そこで、斜視図を示す図１５を参照して、上述の問題点を改善したガラス基板の構造を説明する。１１はガラス基板（ここでは前面ガラス基板であるが、背面側ガラス基板であっても良い）を示す。前面側ガラス基板１１に、互いに平行な同一幅及び同一深さ、同一形状（例えば、断面Ｕ字型）の凹曲面の複数の溝８（複数列の窪みであってもよい）を設ける。
この溝８は、前面側ガラス基板１１に対するサンドブラスト法や化学エッチング法等の方法により形成される。尚、８ＢＲは隣接する溝８間の隔壁を示す。
そして、複数の溝８（複数列の窪みであっても良い）内に、黒色層（例えば、黒色ガラス層）ＢＬ、赤発光蛍光体層９Ｒ、緑発光蛍光体層９Ｇ及び青発光蛍光体層９Ｂを順次循環的に、例えば塗布によって、被着形成する。
赤、緑及び青発光蛍光体層９Ｒ、９Ｇ、９Ｂが塗布された隣接する３個の溝８にて、１個のカラー画素を形成するので、このカラー画素を区切る如く、黒色層ＢＬが被着された溝８は、多数のカラー画素から構成されたカラー画像のコントラスト比を向上させることになる。
複数の溝８内の各色蛍光体層９Ｒ、９Ｇ、９Ｂからの発光が拡散し若干の混色を起こすおそれがあるが、黒色層が被着された凹曲面の溝８の存在によって、コントラスト比の向上のみならず、混色を逓減する効果もある。
尚、隣接する各色蛍光体層９Ｒ、９Ｇ、９Ｂの被着された溝８の各間、又は、２本ずつの溝８の各間に、黒色層ＢＬの被着された溝８を配するようにすれば、カラー画像のコントラスト比は一層向上する。
黒色層ＢＬの被着された溝８の幅を、この例では各色蛍光体層９Ｒ、９Ｇ、９Ｂの被着された溝８の幅と同じにしているが、必ずしも同じにしなくても良い。即ち、黒色層ＢＬの被着された溝８の幅を、各色蛍光体層９Ｒ、９Ｇ、９Ｂの被着された溝８の幅より広く、又は狭くしても良い。
又、各色蛍光体層９Ｒ、９Ｇ、９Ｂの被着された溝８の幅は、この例では同じであるが、必ずしも同じにしなくても良い。蛍光体層９Ｒ、９Ｇ、９Ｂの被着された溝８の幅を、発光色毎に変えて、色のバランスを調整するようにしても良い。
図１６の分解斜視部分図を参照して、図１５の前面側ガラス基板１１を適用した平面型表示装置の構造を説明する。背面側ガラス基板１上に、一定間隔を置いて互いに平行に配された、一定幅の複数のストライプ状電極からなる、第１の電極である例えばＸ電極２を被着形成する。このＸ電極２は、例えば、背面側ガラス基板１上に、銀、ニッケル等の導電性ペーストを、スクリーン印刷し、それを焼成して形成する。このＸ電極２は、写真蝕刻法、真空蒸着等の薄膜法、その他の方法によって形成しても良い。
次に、Ｘ電極２を被覆し、且つ、後に形成するＹ電極４との間を絶縁する絶縁層３を、背面側ガラス基板１上及びＸ電極２上に亘って被着形成する。この絶縁層３は、例えば、低融点ガラスペーストを、背面側ガラス基板１上及びＸ電極２上に亘って、スクリーン印刷し、それを焼成して形成する。
絶縁層３の厚さは、ＸＹ両電極２、４間を絶縁するためだけの場合は、約２００Ｖ程度の耐圧があれば良いので、通常約０．０２〜０．０３ｍｍ程度あれば良い。
しかし、ここでは、絶縁層３に、ＡＣ型ＰＤＰの放電電極を被覆する誘電層としての機能を発揮させないようにするために、絶縁層３の厚さを、約０．０４ｍｍ程度以上、例えば、約０．０４〜約０．０８ｍｍ程度に選定する。勿論放電を起こさないような誘電層の条件を満足するように、絶縁層３として、誘電率の極端に低い材料を用いれば、絶縁層３の厚さは、これより薄くすることもできる。
図１６の例では、図１５の前面側ガラス基板１１を、平面型表示装置の前面側ガラス基板１１に適用した場合であるが、背面側ガラス基板１に上述の複数の溝８を形成すると共に、その複数の溝８（複数列の窪みでも良い）内に、黒色層ＢＬ、赤蛍光体層９Ｒ、緑蛍光体層９Ｇ及び青蛍光体層９Ｂを順次循環的に被着形成するようにしても良い。
その場合には、前面側ガラス基板１１側に、Ｘ電極２、Ｙ電極４、島状電極６等を配して、反射蛍光面型２電極面放電ＰＤＰを構成することになる。
次に、図１７の平面型表示装置の変形例を説明する。図１６では黒色層ＢＬの被着された溝８（窪みの列でも良い）に対応する放電のための島状電極６が形成されていないが、この部分に図１７に示す如く補助放電用島状電極２７を形成しても良い。この補助放電用島状電極２７はＡＣ型に限らず、表面を誘電層で被覆しない所謂ＤＣ型電極であっても良い。補助放電用島状電極２７による発光は、黒色層ＢＬの被着された溝８の外部には出ないから、画面のコントラストを低下させるおそれはない。この補助放電用島状電極２７による補助放電は、画像信号と無関係に常に点灯するので、補助放電セルに隣接する画素に有効なプライミングを常に供給できる。
【図１】
0003674004.tif 000002
【図２】
0003674004.tif 000003
【図３】
0003674004.tif 000004
【図４】
0003674004.tif 000005
【図５】
0003674004.tif 000006
【図６】
0003674004.tif 000007
【図７】
0003674004.tif 000008
【図８】
0003674004.tif 000009
【図９】
0003674004.tif 000010
【図１０】
0003674004.tif 000011
【図１１】
0003674004.tif 000012
【図１２】
0003674004.tif 000013
【図１３】
0003674004.tif 000014
【図１４】
0003674004.tif 000015
【図１５】
0003674004.tif 000016
【図１６】
0003674004.tif 000017
【図１７】
0003674004.tif 000018
0003674004.tif 000019